(57)【要約】      （修正有）【課題】携帯端末を落下などの衝撃から保護することができ、スマートフォンスタンドとして使用することができ、かつ、スマートフォン操作面の裏面に備えられたカメラ機能などを容易に使用することができる携帯端末支持保護カバーを提供する。【解決手段】板状体からなる略長方形の表面カバー１０と、表面カバー１０の長手方向の一端と折り曲げ自在な連接部１２を介して連接された、表面カバー１０とほぼ同一の大きさの板状体からなる略長方形の裏面カバー１１と、連接部１２付近に一端が折り曲げ自在に固定された板状体からなるスマートフォン支持板１３とからなり、スマートフォン支持板１３の、表面カバー１０の長手方向と同方向の長さは、スマートフォンのカメラ撮影部、発光部、赤外線センサ送受光部等を覆わない長さとなるように構成されていて、前記スマートフォン支持板に、前記裏面カバーに対して自立することができる自立部材が設けられているように構成する。【選択図】図１
0003208675.tif 000002
【実用新案登録請求の範囲】
【請求項１】
長手方向と短手方向を有する板状体からなる略長方形の表面カバーと、
前記表面カバーの長手方向の一端と折り曲げ自在な連接部を介して連接された、前記表面カバーとほぼ同一の大きさの長手方向と短手方向を有する板状体からなる略長方形の裏面カバーと、
前記連接部付近に一端が折り曲げ自在に固定された板状体からなる、表面カバー側の面にスマートフォンを粘着剤等により取り付け可能としたスマートフォン支持板とからなり、
前記スマートフォン支持板の、前記表面カバー及び前記裏面カバーの長手方向と同方向の長さは、スマートフォンのカメラ撮影部、発光部、赤外線センサ送受光部等を覆わない長さとなるように構成されていて、
前記スマートフォン支持板に、前記裏面カバーに対して自立することができる自立部材が設けられていることを特徴とする携帯端末支持保護カバー。
【請求項２】
請求項１に記載の携帯端末支持保護カバーにおいて、
前記裏面カバーに、前記自立部材を補強する自立部材固定手段が設けられていることを特徴とする携帯端末支持保護カバー。
【請求項３】
請求項１又は請求項２のいずれか1項に記載の携帯端末保護具において、
前記表面カバーの長手方向の前記連接部と対向する辺と、前記裏面カバーの長手方向の前記連接部と対向する辺とを、自由に開放されないように着脱自在に固定するカバー固定手段が備えられていることを特徴とする携帯端末支持保護カバー。
【考案の詳細な説明】
【技術分野】
【０００１】
本考案は、携帯端末を片手で操作しやすく、かつ、動画視聴の際に手を離しても携帯端末が自立することができ、携帯端末を取り付けた状態で落下等から保護するカバーとなる携帯端末支持保護カバーに関する。
【背景技術】
【０００２】
スマートフォンは、携帯情報端末として、機器の表面の大半を占める画面に触れて操作を行い、またその画面に情報を表示する。この画面は、スマートフォンを地面に落とすなどして衝撃を加えられると、破損してしまい、機器操作も情報表示も困難になってしまうが、携帯端末を完全に覆うような構造では、通話、情報通信、写真撮影などの機能を十分に使いこなすことができないという問題があった。
【０００３】
また、近年はスマートフォンの情報処理量が増大した上に、動画コンテンツが充実し、通信環境も整備されたため、スマートフォンで動画を視聴することが増え、その際に携帯情報端末から手を離しても自立した状態を保つスマートフォンスタンドとして使用することができるスマートフォンカバーが求められている。
【０００４】
上述したような問題点を解決するために、中央折曲部により分けられた携帯端末の表面に掛かる蓋面部と携帯端末の裏側に掛かる固定面部とを有し、前記固定面部が前記中央折曲部と平行な折曲線部によって折り曲げられるようになっており、 前記携帯端末は、前記折曲線部を跨ぐように設けられた固定片と粘着層により固定可能となっており、 前記固定片は、前記固定面部における前記折曲線部によって分けられた前記中央折曲部側を少なくとも除く面に支持されていることを特徴とする携帯端末ケースが知られている（特許文献１参照）。
【０００５】
すなわち、従来この種のスマートフォン収納カバーにおいて、特許文献１の携帯端末ケースでは、携帯端末は折曲線部を跨ぐように設けられた固定片と粘着層により、固定片が固定面部に片持ち状態で支持されているため、固定面部が折曲線部で折り曲げられる際に、粘着層に折り曲げ時の外力が及ばないため、確実に携帯端末と固定面部との固定力を維持することができ、かつ、固定面部を折り曲げることにより携帯端末の側辺が蓋面部に接し、摩擦力により固定されることで、スマートフォン収納ケースごと携帯端末を机等の上に所定の角度で自立させることが可能となっていた。
【先行技術文献】
【特許文献】
【０００６】
【特許文献１】特開２０１６−１３３００号公報
【考案の概要】
【考案が解決しようとする課題】
【０００７】
しかし、上述した従来のスマートフォン収納ケースでは、固定片が回動部材により固定面部に対して回動可能に支持されているように構成しなければ、スマートフォン操作面の裏面に備えられたカメラやバーコード読み取り機能などを使用することができないという問題があった。
【０００８】
本考案はこのような事情に鑑みてなされたものであり、携帯端末を落下などの衝撃から保護することができ、携帯端末支持保護ケースごとスマートフォンを机等の上に所定角度で自立させることができ、かつ、スマートフォン操作面の裏面に備えられたカメラやバーコード読み取り機能などを容易に使用することができる携帯端末支持保護ケースを得ることを目的とする。
【課題を解決するための手段】
【０００９】
このような目的に応えるために本考案（請求項１記載の考案）に係る携帯端末支持保護カバーは、長手方向と短手方向を有する板状体からなる略長方形の表面カバーと、前記表面カバーの長手方向の一端と折り曲げ自在な連接部を介して連接された、前記表面カバーとほぼ同一の大きさの長手方向と短手方向を有する板状体からなる略長方形の裏面カバーと、前記連接部付近に一端が折り曲げ自在に固定された板状体からなる、表面カバー側の面にスマートフォンを粘着剤等により取り付け可能としたスマートフォン支持板とからなり、前記スマートフォン支持板の、前記表面カバー及び前記裏面カバーの長手方向と同方向の長さは、スマートフォンのカメラ撮影部、発光部、赤外線センサ送受光部等を覆わない長さとなるように構成されていて、前記スマートフォン支持板に、前記裏面カバーに対して自立することができる自立部材が設けられていることを特徴とする。
【００１０】
このように構成することにより、前記スマートフォン支持板にスマートフォンを取り付けて前記表面カバーを開けると、スマートフォンの操作画面を操作することができる。
【００１１】
また、通前記裏面カバーを前記表面カバーと接するように広げることにより、スマートフォン裏面に備えられたカメラ撮影、発光、赤外線センサ送受光等の機能を使用することができる。
【００１２】
さらに、スマートフォンを取りつけた前記スマートフォン支持板が前記裏面カバーに対して自立することができるので、動画等をスマートフォンから手を離して視聴することができるという効果もある。
【００１３】
本考案（請求項２記載の考案）に係る携帯端末支持保護カバーは、請求項１に記載の携帯端末支持保護カバーにおいて、前記裏面カバーに、前記自立部材を補強する自立部材固定手段が設けられていることを特徴とする。
【００１４】
このように構成することにより、動画等をスマートフォンから手を離して視聴する際に、より安定した状態で自立させることができる。
【００１５】
本考案（請求項３記載の考案）に係る携帯端末支持保護カバーは、請求項１又は請求項２のいずれか1項に記載の携帯端末保護具において、前記表面カバーの長手方向の前記連接部と対向する辺と、前記裏面カバーの長手方向の前記連接部と対向する辺とを、自由に開放されないように着脱自在に固定するカバー固定手段が備えられていることを特徴とする。
【００１６】
このように構成することにより、携帯端末を使用していない状態では、携帯端末が前記表面カバーと前記裏面カバーに挟まれた状態となり、カバーが容易に開かない構造となっているため、前記携帯端末支持保護ケースを装着したスマートフォンを落下させたとしても、衝撃が減殺されて、容易に破損が発生しないようにすることができる。
【考案の効果】
【００１７】
以上説明したように、本考案に係る携帯端末支持保護カバーによれば、スマートフォンを取りつけたまま、スマートフォン表面の操作画面と裏面のカメラ撮影等の機能を使用することができる。
【００１８】
また、本考案によれば、携帯端末支持保護ケースをスマートフォンスタンドとしても活用することができる。
【００１９】
さらに、本考案によれば、スマートフォンを使用していない状態では、保護カバーとしての機能を果たすことができるという利点がある。
【図面の簡単な説明】
【００２０】
【図１】本考案に係る携帯端末支持保護カバーの第一の実施形態を示し、携帯端末支持保護ケースを開いた状態の正面図である。
【図２】図１の携帯端末支持保護カバーのスマートフォン取付板を自立させた状態の底面図である。
【図３】図１の携帯端末支持保護カバーにスマートフォンを装着した状態の正面図である。
【図４】図１の携帯端末支持保護カバーにスマートフォンを装着し、裏面カバーを反転させた状態の背面図である。
【図５】図１の携帯端末支持保護カバーにスマートフォンを装着してスマートフォン取付板を自立させ状態の底面図である。
【図６】本考案に係る携帯端末支持保護カバーの第二の実施形態を示し、携帯端末支持保護カバーのスマートフォン取付板を自立させ、取付板自立板がストッパーで係止された状態の正面図である。
【図７】図６の携帯端末支持保護カバーのスマートフォン取付板を自立させ、取付板自立板がストッパーで係止された状態の平面図である。
【図８】本考案に係る携帯端末支持保護カバーの第三の実施形態を示し、携帯端末支持保護カバーの取付板自立板に舌状片が備えられた状態の正面図である。
【図９】図８の保護携帯端末支持保護カバーのスマートフォン取付板を自立させた状態の正面図である。
【図１０】図６の携帯端末支持保護カバーのスマートフォン取付板を自立させ、取付板自立板の舌状片が切込線で係止された状態の平面図である。
【図１１】本考案に係る携帯端末支持保護カバーの第四の実施形態を示し、携帯端末支持保護ケースの取付板自立板内にマグネットが備えられた状態の正面図である。
【図１２】図１１の携帯端末支持保護カバーの底面図である。
【図１３】本考案に係る携帯端末支持保護カバーの第五の実施形態を示し、表面カバーと裏面カバーの側端部の内部にマグネットを備えた状態の正面図である。
【図１４】本考案に係る携帯端末支持保護カバーの第六の実施形態を示し、裏面カバーにカバー留め具を備えた状態の正面図である。
【図１５】図１４の携帯端末支持保護カバーを折り畳んだ状態の図である。
【図１６】図１４の携帯端末支持保護カバーの、カバー留め具内部と表面カバーの内部にマグネットを備えた状態の正面図である。
【考案を実施するための形態】
【実施例１】
【００２１】
図１ないし図５は本考案に係る携帯端末支持保護カバーの一実施形態を示すものであり、これらの図において、全体を符号１で示すものは本発明を特徴づける携帯端末支持保護カバーである。
【００２２】
図１においてこれを簡単に説明すると、符号１は携帯端末支持保護カバーとして、長手方向と短手方向を有する板状部材からなる表面カバー１０と、長手方向と短手方向を有する板状部材からなる裏面カバー１１とが、長手方向の一端部において屈曲可能な連接部１２を介して連接されており、前記携帯端末支持保護カバー１を、前記表面カバー１０が右側に、前記裏面カバー１１が左側になるようにした場合において前記該連接部１２の下側略半分程度の位置に、方形のスマートフォン取付板１３の一端が折り曲げ自在に固定され、前記スマートフォン支持板１３の上側の一端には、三角形上に突出した取付板自立板１４が、折曲部１５を介して設けられている。
【００２３】
図２において、前記スマートフォン取付板１３を自立させた状態を示す。ここで、前記取付板自立板１４を前記裏面カバー１１側に屈曲させることにより、前記スマートフォン取付板１３は取付板自立板１４に支持されて自立した状態となる。
【００２４】
図３において、図１で示した前記携帯端末支持保護カバー１の前記スマートフォン取付板１３の前記表面カバー１０側の面にスマートフォン３０を取り付けた状態を示す。
【００２５】
図４において、図３の状態の前記携帯端末支持保護カバー１の前記裏面カバー１１を折り返し、スマートフォン裏面３２側から見た状態を示す。
【００２６】
図５においては、図２で示した前記携帯端末支持保護カバー１の前記スマートフォン取付板１３を自立させた状態において、前記スマートフォン取付板１３に前記スマートフォン３０を、両面粘着テープ１７を介して接着した状態を示す。
【００２７】
この実施例において、図３に示すように、使用者は片手で前記携帯端末支持保護カバー１を把持してスマートフォン表操作面３１を操作することができる。また、前記表面カバー１０を前記裏面カバー１１に接するように折り返せば、片手で前記携帯端末支持保護カバー１を把持する際にさらに安定した状態となる。
【００２８】
また、この実施例において、図４に示すように前記スマートフォン取付板１３を構成することで、前記スマートフォン３０を前記スマートフォン取付板１３に、前記スマートフォン裏面３２の上半分程度を露出させるように装着することができ、様々なデザインのスマートフォンの種を問わずに写真撮影や発光等の機能に障害とならないようにすることができる。
【００２９】
さらに、この実施例において、図５に示すように、前記スマートフォン取付板１３と前記スマートフォン３０を前記両面粘着テープ１７を介して装着することで、様々なデザインのスマートフォンを装着する際に障害とならない形状に前記両面粘着テープ１７を切断することにより、スマートフォンの機種を問わずに使用することができる。
【実施例２】
【００３０】
図６ないし図７は本考案に係る携帯端末支持保護カバーの他の実施形態を示すものであり、これらの図において、全体を符号１で示すものは本発明を特徴づける携帯端末支持保護カバーである。
【００３１】
図６において、図２に示すように前記取付板自立板１４を前記裏面カバー１１側に屈曲させることにより、前記スマートフォン取付板１３は取付板自立板１４に支持されて自立した状態において、前期裏面カバー１１の前記取付板自立板１４が接する位置に取付板自立板ストッパー２０を設けた状態を示す。
【００３２】
図７において、図６に示す状態を前記取付板自立板１４側から見た状態を示す。
【００３３】
この実施例において、前記取付板自立板１４の前記裏面カバー１１に接する部分が滑りにくくなり、前記スマートフォン取付板１３をより安定した状態に自立させることができる。
【実施例３】
【００３４】
図８ないし図１０は本考案に係る携帯端末支持保護カバーの他の実施形態を示すものであり、これらの図において、全体を符号１で示すものは本発明を特徴づける携帯端末支持保護カバーである。
【００３５】
図８において、図１で示した実施例の前記取付板自立板１４の先端に、舌状片１６が折り曲げ自在に取り付けられている。図９は、前記スマートフォン取付板１３を自立させた状態を示す。
【００３６】
図１０は、図９で示した実施例の前記舌状片１６の先端を差し込むことができる切込線２１を前記裏面カバー１１の前記スマートフォン取付板１３側の面に設けた状態を示す。
【００３７】
この実施例において、前記裏面カバー１１に突出する部分を設けることなく、前記スマートフォン取付板１３をより安定した状態に自立させることができる。
【実施例４】
【００３８】
図１１ないし図１２は本考案に係る携帯端末支持保護カバーの他の実施形態を示すものであり、これらの図において、全体を符号１で示すものは本発明を特徴づける携帯端末支持保護カバーである。
【００３９】
図１１において、図１で示した実施例の前記取付板自立板１４の先端に近い内部に、棒状の取付板自立板用マグネット２２が、前記取付板自立板１４が前記裏面カバー１１と接する辺と略平行に備えられている。
【００４０】
図１２において、図１１で示した実施例の前記取前記取付板自立板１４が前記裏面カバー１１と接する部分の前記裏面カバー１１の内部に、裏面カバーマグネット２３が備えられている。
【００４１】
この実施例において、前記裏面カバー１１に破断しやすい切込線２１を設けることなく、前記スマートフォン取付板１３をより安定した状態に自立させることができる。
【実施例５】
【００４２】
図１３は本考案に係る携帯端末支持保護カバーの他の実施形態を示すものであり、これらの図において、全体を符号１で示すものは本発明を特徴づける携帯端末支持保護カバーである。
【００４３】
図１３において、図１で示した実施例の表面カバー１０と裏面カバー１１における連接部１２と対向する側端の内部に、側端と略平行にカバー側端マグネット２４が備えられている。
【００４４】
この実施例において、前記携帯端末支持保護カバー１を前記スマートフォン取付板１３が内側になるように折り畳むと、表面カバー１０と裏面カバー１１とが前記カバー側端マグネット２４の磁力により牽引しあい、前記携帯端末支持保護カバー１が容易に開かないようにすることができる。
【実施例６】
【００４５】
図１４ないし１６は本考案に係る携帯端末支持保護カバーの他の実施形態を示すものであり、これらの図において、全体を符号１で示すものは本発明を特徴づける携帯端末支持保護カバーである。
【００４６】
図１４において、図１で示した実施例の裏面カバー１１における連接部１２と対向する側端の略中央部に、カバー留め具２５が凸出して備えられている。
【００４７】
図１５において、前記携帯端末支持保護カバー１を前記スマートフォン取付板１３が内側になるように折り畳み、その状態において外側となる前記表面カバー１０に、前記カバー留め具２５の先端を挿入することができるカバー留め具固定部材２６が備えられている。
【００４８】
この実施例において、前記携帯端末支持保護カバー１を前記スマートフォン取付板１３が内側になるように折り畳むと、表面カバー１０と裏面カバー１１とが前記カバー留め具２５とカバー留め具固定部材２６とにより固定され、前記携帯端末支持保護カバー１が容易に開かないようにすることができる。
【００４９】
さらに、図１６において示すように、図１４の前記カバー留め具２５の内部と、図１５の前記表面カバー１０の前記カバー留め具固定部材２６を取り付けた位置の内部とに、カバー留め具マグネット２７とカバー留め具固定マグネット２８を備えれば、前記カバー留め具２５とカバー留め具固定部材２６とがより安定して固定され、前記携帯端末支持保護カバー１が容易に開かないようにすることができる。
【００５０】
以上すべての実施例において、携帯端末支持保護カバー１は型式が異なるスマートフォンを装着しても、操作面の操作や裏面の機能の発揮を妨げず、かつ、スマートフォンスタンドとして利用することができるという利点がある。
【００５１】
さらに、表面カバー１０や裏面カバー１１にカードホルダーなどの機構を追加することもできる。
【００５２】
なお、本考案は上述した実施の形態で説明した構造には限定されず、各部の形状、構造等を適宜変形、変更し得ることはいうまでもない。
【００５３】
例えば、表面カバー１０、裏面カバー１１又は連接部１２の一部にハトメなどでストラップホールを設けることができる。
【産業上の利用可能性】
【００５４】
本考案の携帯端末保護具は、主としてスマートフォンに用いられるものではあるが、タブレットPCなどにも応用することができる。これらもまた本考案の権利範囲である。
【符号の説明】
【００５５】
１      携帯端末支持保護カバー
１０    表面カバー
１１    裏面カバー
１２    連接部
１３    スマートフォン取付板
１４    取付板自立板
１５    折曲部
１６    舌状片
１７    両面粘着テープ
１８    表面カバー側端部
１９    裏面カバー側端部
２０    取付板自立板ストッパー
２１    切込線
２２    取付板自立板用マグネット
２３    裏面カバーマグネット
２４    カバー側端マグネット
２５    カバー留め具
２６    カバー留め具固定部材
２７    カバー留め具マグネット
２８    カバー留め具固定マグネット
３０    スマートフォン
３１    スマートフォン表操作面
３２    スマートフォン裏面
【図１】
0003208675.tif 000003
【図２】
0003208675.tif 000004
【図３】
0003208675.tif 000005
【図４】
0003208675.tif 000006
【図５】
0003208675.tif 000007
【図６】
0003208675.tif 000008
【図７】
0003208675.tif 000009
【図８】
0003208675.tif 000010
【図９】
0003208675.tif 000011
【図１０】
0003208675.tif 000012
【図１１】
0003208675.tif 000013
【図１２】
0003208675.tif 000014
【図１３】
0003208675.tif 000015
【図１４】
0003208675.tif 000016
【図１５】
0003208675.tif 000017
【図１６】
0003208675.tif 000018